(57)【要約】【課題】  感光ドラムの軸方向の帯電ムラを抑制する。【解決手段】  除電ユニット３１は、感光ドラム４の回転方向について、トナー像を感光ドラム４の表面から転写材に転写させる転写ローラ（図示省略）と感光ドラム４の表面を略均一に帯電する帯電ユニット（図示省略）との間に配設され、感光ドラム４の表面に光線を投射して除電する除電光を発する除電ＬＥＤ３１１と、複数の（ここでは６個の）除電ＬＥＤ３１１が感光ドラム４の軸方向に略線状に配設されて支持する支持部３１２と、支持部３１２を感光ドラム４の軸に直交する方向に位置を変更可能に保持する位置設定部３１３とを備えている。【選択図】      図３
2006154241.tif 000002
【特許請求の範囲】
【請求項１】
回転自在に軸支された感光ドラムの表面に静電潜像を形成し、この静電潜像にトナーが付着されて形成されたトナー像を転写材に転写して画像を形成する画像形成装置であって、
前記感光ドラムの回転方向について前記静電潜像が形成される位置の上流側に配設され、前記感光ドラムの表面を略均一に帯電する帯電手段と、
前記トナー像を前記感光ドラム表面から転写材に転写させる転写手段と、
所定の除電光を発する光源を有し、前記感光ドラムの回転方向について前記転写手段と前記帯電手段との間で、前記感光ドラムの表面に前記光源からの光線を投射して除電する除電手段とを備え、
前記除電手段は、前記光源と前記感光ドラムの表面との距離が、前記感光ドラムの軸方向について調整可能に構成されていることを特徴とする画像形成装置。
【請求項２】
前記除電手段は、除電光を発する複数の点光源と、
前記複数の点光源を前記感光ドラムの軸方向に略線状に配設して支持する支持部と、
前記支持部を前記感光ドラムの軸に直交する方向に位置を変更可能に保持する位置設定部とを有することを特徴とする請求項１に記載の画像形成装置。
【請求項３】
前記支持部は、少なくとも１の点光源が配設された複数の分割支持部からなり、
前記位置設定部は、前記各分割支持部を、それぞれ、前記感光ドラムの軸に直交する方向に位置を変更可能に保持することを特徴とする請求項２に記載の画像形成装置。
【請求項４】
前記位置設定部は、前記支持部を前記感光ドラムの軸に直交する方向の位置決めをする位置決め部材と、前記支持部を前記感光ドラムの軸に接近する方向に付勢する付勢部材とを有することを特徴とする請求項２又は３に記載の画像形成装置。
【請求項５】
前記位置決め部材は、前記感光ドラムに対して相対的に位置が固定された梁と、この梁に一端が係合され、他端が前記支持部の所定位置に螺着されたボルトとを有し、
前記付勢部材は、前記梁と前記支持部との間に圧入されたバネを有することを特徴とする請求項４に記載の画像形成装置。
【請求項６】
前記点光源は、ＬＥＤからなることを特徴とする請求項１〜５のいずれかに記載の画像形成装置。
【発明の詳細な説明】
【技術分野】
【０００１】
本発明は、複写機、ファクシミリ及びプリンタ等の画像形成装置に関する。
【背景技術】
【０００２】
従来、ドラム型の電子写真感光体（以下、単に感光ドラムという）を帯電する装置として放電コロナを感光ドラムの表面にさらすことで帯電させるコロナ帯電装置が用いられていたが、近年、コロナ帯電装置よりも低オゾン、低電力等の利点を有することから、電圧を印加した帯電部材を感光ドラムの表面に当接させて帯電させる接触帯電装置が実用化されている。
【０００３】
一方、感光ドラムの表面の材料として、従来は、セレンやＯＰＣ（Ｏｒｇａｎｉｃ  Ｐｈｏｔｏ  Ｃｏｎｄｕｃｔｏｒ）が使用されてきたが、環境問題、長寿命化等の観点から、近年、アモルファスシリコンが用いられはじめている。
【０００４】
しかし、アモルファスシリコンは、その製造方法に起因して、均一な膜形成が困難であるため、帯電能に差が生じて、一方の端部は帯電し易く、他方の端部では帯電し難い場合があり、感光ドラムの軸方向に帯電ムラ（以下、帯電軸ムラという）が生じることがある。
【０００５】
この帯電軸ムラを抑制する方法として、接触帯電装置の上流側に感光ドラムの表面を露光して除電する除電装置を配設し、除電装置の光源と感光ドラムの表面との間の光路幅を感光ドラムの幅方向に調整することにより、除電装置の幅方向の除電光量分布を調整することが提案されている（特許文献１参照）。
【０００６】
図８は、上記の方法を説明するための図である。（ａ）は、感光ドラム４側から観た場合の除電装置３０の平面図であり、（ｂ）は、除電装置３０及び感光ドラム４を含む側面図である。除電装置３０は、ＬＥＤ（Ｌｉｇｈｔ  Ｅｍｉｔｔｉｎｇ  Ｄｉｏｄｅ）からなる点光源３０１と、両端が感光ドラム４に固定され、点光源３０１を線状に支持する支持部材３０２と、点光源３０１と感光ドラム４との間に介設され、点光源３０１から感光ドラム４への光路幅を調整する板状部材３０３（３０３ａ，３０３ｂ）とを有している。
【特許文献１】特開平８−２７２２７０号公報
【発明の開示】
【発明が解決しようとする課題】
【０００７】
しかしながら、上記の光路幅を調整する方法では、光路幅をわずかに変えるだけでも大きな影響を受け、光路幅の調整が困難であり、所望する除電光量分布が得られず、その結果、感光ドラムが充分に均一な状態に帯電されない（すなわち、帯電ムラが発生する）場合がある。
【０００８】
本発明は上記課題に鑑みてなされたもので、感光ドラムの軸方向の帯電ムラを抑制することの可能な画像形成装置を提供することを目的としている。
【課題を解決するための手段】
【０００９】
請求項１に記載の画像形成装置は、回転自在に軸支された感光ドラムの表面に静電潜像を形成し、この静電潜像にトナーが付着されて形成されたトナー像を転写材に転写して画像を形成する画像形成装置であって、前記感光ドラムの回転方向について前記静電潜像が形成される位置の上流側に配設され、前記感光ドラムの表面を略均一に帯電する帯電手段と、前記トナー像を前記感光ドラム表面から転写材に転写させる転写手段と、所定の除電光を発する光源を有し、前記感光ドラムの回転方向について前記転写手段と前記帯電手段との間で、前記感光ドラムの表面に前記光源からの光線を投射して除電する除電手段とを備え、前記除電手段が、前記光源と前記感光ドラムの表面との距離が、前記感光ドラムの軸方向について調整可能に構成されていることを特徴としている。
【００１０】
この構成によれば、感光ドラムの回転方向について静電潜像が形成される位置の上流側に配設された帯電手段によって、静電潜像が形成される前に感光ドラムの表面が略均一に帯電される。そして、転写手段によって、静電潜像にトナーが付着されて形成されたトナー像が感光ドラム表面から転写材に転写される。また、除電手段によって、感光ドラムの回転方向について転写手段と帯電手段との間で、感光ドラムの表面に光源からの光線が投射されて除電される。更に、除電手段の光源と感光ドラムの表面との距離は、感光ドラムの軸方向について調整可能に構成されている。
【００１１】
そこで、除電手段の光源と感光ドラムの表面との距離を大きくすることによって、除電手段による除電の効果が小さくなり、感光ドラムの表面が帯電し易くなる。逆に、除電手段の光源と感光ドラムの表面との距離を小さくすることによって、除電手段による除電の効果が大きくなり、感光ドラムの表面が帯電し難くなる。従って、除電手段の光源と感光ドラムの表面との距離を調整することによって、感光ドラムの軸方向の帯電ムラが抑制され得る。
【００１２】
請求項２に記載の画像形成装置は、前記除電手段が、除電光を発する複数の点光源と、前記複数の点光源を前記感光ドラムの軸方向に略線状に配設して支持する支持部と、前記支持部を前記感光ドラムの軸に直交する方向に位置を変更可能に保持する位置設定部とを有することを特徴としている。
【００１３】
この構成によれば、点光源によって、除電光が発せられ、支持部によって、複数の点光源が感光ドラムの軸方向に略線状に配設されて支持される。そして、位置設定部によって、支持部が感光ドラムの軸に直交する方向に位置を変更可能に保持される。
【００１４】
従って、位置設定部によって、支持部が感光ドラムの軸に直交する方向に位置を変更され得るため、支持部に支持された複数の点光源と感光ドラムの表面との距離が容易に変更される。
【００１５】
請求項３に記載の画像形成装置は、前記支持部が、少なくとも１の点光源が配設された複数の分割支持部からなり、前記位置設定部が、前記各分割支持部を、それぞれ、前記感光ドラムの軸に直交する方向に位置を変更可能に保持することを特徴としている。
【００１６】
この構成によれば、支持部が、少なくとも１の点光源が配設された複数の分割支持部からなり、位置設定部によって、各分割支持部が、それぞれ、感光ドラムの軸に直交する方向に位置を変更可能に保持される。
【００１７】
そこで、位置設定部によって、各分割支持部が、それぞれ、感光ドラムの軸に直交する方向に位置を変更され得るため、各分割支持部にそれぞれ支持された点光源と感光ドラムの表面との距離が容易に変更される。従って、各分割支持部にそれぞれ支持された点光源と感光ドラムの表面との距離が別々に調整され得るため、点光源と感光ドラムの表面との距離が更に細かに調整され得る。
【００１８】
請求項４に記載の画像形成装置は、前記位置設定部が、前記支持部を前記感光ドラムの軸に直交する方向の位置決めをする位置決め部材と、前記支持部を前記感光ドラムの軸に接近する方向に付勢する付勢部材とを有することを特徴としている。
【００１９】
この構成によれば、位置決め部材によって、支持部の感光ドラムの軸に直交する方向の位置決めが行われ、付勢部材によって、支持部が感光ドラムの軸に接近する方向に付勢される。
【００２０】
従って、支持部が感光ドラムの軸に接近する方向に付勢された状態で位置決めが行われるため、支持部（及び支持部に配設された光源）の位置決めが精度よく行われる。
【００２１】
請求項５に記載の画像形成装置は、前記位置決め部材が、前記感光ドラムに対して相対的に位置が固定された梁と、この梁に一端が係合され、他端が前記支持部の所定位置に螺着されたボルトとを有し、前記付勢部材が、前記梁と前記支持部材との間に圧入されたバネを有することを特徴としている。
【００２２】
この構成によれば、ボルトによって、感光ドラムに固定された梁と支持部の所定位置とが係合され、梁と支持部との間に圧入されたバネによって、支持部材が感光ドラムの軸から近接する方向に付勢される。従って、位置決め部材及び付勢部材が、簡単な構成で実現される。
【００２３】
請求項６に記載の画像形成装置は、前記点光源が、ＬＥＤからなることを特徴としている。
【００２４】
この構成によれば、点光源が、ＬＥＤからなるため、所望する特性を有する点光源が安価に製造され得る。
【発明の効果】
【００２５】
請求項１に記載の発明によれば、除電手段の光源と感光ドラムの表面との距離を調整することによって、感光ドラムの軸方向の帯電ムラを抑制できる。
【００２６】
請求項２に記載の発明によれば、位置設定部によって、支持部が感光ドラムの軸に直交する方向に位置を変更され得るため、支持部に支持された複数の点光源と感光ドラムの表面との距離を容易に変更できる。
【００２７】
請求項３に記載の発明によれば、各分割支持部にそれぞれ支持された点光源と感光ドラムの表面との距離が別々に調整され得るため、点光源と感光ドラムの表面との距離を更に細かに調整できる。
【００２８】
請求項４に記載の発明によれば、支持部が感光ドラムの軸に接近する方向に付勢された状態で位置決めが行われるため、支持部（及び支持部に配設された光源）の位置決めを精度よく行うことができる。
【００２９】
請求項５に記載の発明によれば、位置決め部材及び付勢部材を簡単な構成で実現できる。
【００３０】
請求項６に記載の発明によれば、点光源がＬＥＤからなるため、所望する特性を有する点光源を安価に製造できる。
【発明を実施するための最良の形態】
【００３１】
以下、本発明に係る画像形成装置の一例について図面を参照して説明する。図１は本発明に係る画像形成装置の概略構成の一例を示す模式図である。なお、ここでは、画像形成装置が複写機である場合について説明するが、他の画像形成装置（例えば、ファクシミリ、プリンタ、スキャナ等）である形態でもよい。
【００３２】
図１に示すように、複写機１は、複写機本体２内に、図中の矢印Ａの方向に回転する感光ドラム４と、感光ドラム４の表面を略均一に帯電する帯電ユニット３（帯電手段に相当する）と、原稿に形成された画像を読取り画像データを生成する原稿読取ユニット５と、原稿画像に対応する静電潜像を感光ドラム４の表面にレーザビームによって形成するレーザ走査ユニット等からなる露光ユニット６と、形成された静電潜像に現像剤（以下、トナーという）を付着させてトナー像を形成する現像ユニット７と、この現像ユニット７へトナーを供給するトナーコンテナ８と、トナー像が形成された感光ドラム４に向けて用紙を用紙搬送路１０を経由して搬送する給紙機構９と、感光ドラム４の表面に形成されたトナー像を用紙に転写する転写ローラ１１（転写手段に相当する）とを備えている。
【００３３】
原稿読取ユニット５は、原稿の画像を読取って画像データを得るための所謂スキャナ部であり、原稿が載置されるガラス等の透明部材により構成されたコンタクトガラス（プラテンガラス）、原稿に光照射する光源である露光ランプと原稿からの反射光を反射させるミラーとを一体化してなるミラーユニット、ミラーユニットからの反射光を絞るレンズ群、及び、レンズ群によって反射光が絞られ結像された光像を光電変換して画像データを得る撮像素子（ＣＣＤ；Ｃｈａｒｇｅ  Ｃｏｕｐｌｅｄ  Ｄｅｖｉｃｅ）からなるＣＣＤイメージセンサを備えている。
【００３４】
また、複写機１は、トナー像が転写された用紙を感光ドラム４から分離して、トナー像を定着する定着ローラ対を有する定着ユニット１２と、定着ユニット１２を通過した用紙に対して分岐部材によって搬送方向を振り分ける用紙搬送路１３と、両面コピー時に用紙が搬送される用紙搬送路１７と、排出された用紙をストックする上シートトレイ１０２ａ、下シートトレイ１０２ｂ及びシートトレイ１０３とを備えている。
【００３５】
給紙機構９は、複写機本体２に着脱自在に構成され、用紙を収納する給紙カセット９１，９２と、その上方に配設されたスタックバイパス（バイパストレイ）９３とを備えており、これらは用紙搬送路１０を介して感光ドラム４及び現像ユニット７等からなる画像形成部に繋がっている。
【００３６】
図２は、画像形成部の概略構成の一例を示す模式図である。コピー用紙Ｐ上に画像を形成する画像形成部には、上述の、帯電ユニット３、感光ドラム４、露光ユニット６、現像ユニット７及び転写ローラ１１に加えて、感光ドラム４の矢印Ａで示す回転方向について、帯電ユニット３の上流側であって、且つ、転写ローラ１１の下流側に、転写後に感光ドラム４の表面に付着しているトナーを除去するクリーニングブレード１６と、露光によって感光ドラム４の表面を除電する除電ユニット３１（除電手段に相当する）とが配設されている。
【００３７】
帯電ユニット３は、接触帯電方式を用いて感光ドラム４の表面を略均一に帯電させるものであって、芯金と、その外周の導電層と、さらにその外周の抵抗層とを有する帯電ローラと、帯電ローラに所定の電圧（ここでは、直流電圧に交流電圧を重畳したもの）を印加する電源（図示省略）とを備えている。
【００３８】
感光ドラム４は、直径３０ｍｍのアルミニウム製のドラム基体上に正帯電のアモルファスシリコンからなる光導電層が形成されたものであって、図の矢印Ａの方向に所定の周速（例えば、１７５ｍｍ／ｓｅｃ）で回転駆動されるものである。
【００３９】
露光ユニット６は、帯電ユニット３の下流側に配設され、感光ドラム４の周面に対向して配設されたＬＥＤプリントヘッド（例えば、ライン方向に７１６８の画素数を有する）を備え、ＬＥＤプリントヘッドからのレーザ光を感光ドラム４の周面に照射して、静電潜像を生成するものである。
【００４０】
現像ユニット７は、露光ユニット６によって感光ドラム４の表面に形成された静電潜像に現像剤（以下、トナーという）を付着させてトナー像を形成するものであり、ここでは、モノクロの１成分ジャンピング方式である。
【００４１】
クリーニングブレード１６は、現像ユニット７によって転写時に感光ドラム４の表面に付着され、転写後に感光ドラム４の表面に残存しているトナー（転写残りトナー）等の付着物を機械的に剥ぎ取ることによってクリーニングするものである。
【００４２】
除電ユニット３１は、露光ユニット６によって感光ドラム４の表面に形成された静電潜像等の電荷を、後述する除電ＬＥＤ（図３に示す除電ＬＥＤ３１１）から発せられる除電光を照射して除去するものである。
【００４３】
図３は、除電ユニット３１の概略構成の一例を示す模式図（図２に示すＢ−Ｂ断面図）である。除電ユニット３１は、除電光を発する除電ＬＥＤ３１１（点光源に相当する）と、複数の（ここでは６個の）除電ＬＥＤ３１１が感光ドラム４の軸方向に略線状に配設されて支持する支持部３１２と、支持部３１２を感光ドラム４の軸に直交する方向に位置を変更可能に保持する位置設定部３１３とを備えている。
【００４４】
また、位置設定部３１３は、支持部３１２を感光ドラム４の軸に直交する方向の位置決めをする位置決め部材３１３ａと、支持部３１２を感光ドラム４の軸に接近する方向に付勢する付勢部材３１３ｂとを備えている。更に、位置決め部材３１３ａは、感光ドラム４に固定された梁３１３ａ１と、この梁３１３ａ１に一端が固定され、支持部３１２の所定位置（ここでは両端位置）に螺着されたボルト３１３ａ２とを備え、付勢部材３１３ｂは、梁３１３ａ１と支持部３１２との間に圧入された所定個数（ここでは、２個）のバネ３１３ｂからなるものである。
【００４５】
梁３１３ａ１は、感光ドラム４の軸と略平行に、感光ドラム４の軸から所定距離だけ離間して配設され、感光ドラム４に対して固定されたものである。ここでは、感光ドラム４の回転軸の両端が筐体の所定位置に固定されており、梁３１３ａ１もその両端が当該筐体の所定位置に固定されている。
【００４６】
ボルト３１３ａ２が右（又は左）に回転されると、支持部３１２は、梁３１３ａ１と支持部３１２との間に圧入された２個のバネ３１３ｂによって感光ドラム４の軸に接近する方向に付勢された状態で、感光ドラム４の軸に接近する方向（又は離間する方向）に移動されて位置決めされる。
【００４７】
従って、バネ３１３ｂによって付勢された状態でボルト３１３ａ２の回転位置によって位置決めされるため、ボルト３１３ａ２と支持部３１２に形成されたボルト３１３ａ２に係合する孔（図示省略）との間にガタ（間隙）がある場合であっても、正確に位置決めされ得る。ここでは、支持部３１２がバネ３１３ｂによって感光ドラム４の軸に接近する方向に付勢される場合について説明するが、支持部３１２がバネ３１３ｂによって感光ドラム４の軸から離間する方向に付勢される形態でもよい。
【００４８】
図４は、図３に示す除電ユニット３１と、図８に示す除電装置３０との特性比較を行った結果の一例を示す図表である。図３に示す除電ユニット３１において、ボルト３１３ａ２の回転位置によって、左端から順に各除電ＬＥＤ３１１から感光ドラム４の表面までの距離Ｌ１〜Ｌ６を調整することができる。ただし、ここでは、支持部３１２と感光ドラム４の軸が平行な状態に設定された場合には、距離Ｌ１〜Ｌ６は同一の値となるものとする。また、感光ドラム４の表面電位ＶＴ１の内、各除電ＬＥＤ３１１に対向する位置の電位Ｖ１〜Ｖ６は、支持部３１２と感光ドラム４の軸が平行な状態に設定された場合には、同一の電位になるものとする（すなわち、各除電ＬＥＤ３１１は同一の強度及び周波数の除電光を発するものとする）。
【００４９】
一方、図８に示す除電装置３０において、左端と右端の各ＬＥＤ３０１から感光ドラム４への光路幅Ｄ１、Ｄ２を調整することができる。また、感光ドラム４の表面電位ＶＴ０の内、左端と右端の各ＬＥＤ３０１に対向する位置の電位Ｖ０１、Ｖ０２は、光路幅が一定に（板状部材３０３ａ，３０３ｂが平行に）設定された場合には、同一の電位になるものとする（すなわち、各ＬＥＤ３０１は同一の強度及び周波数の除電光を発するものとする）。
【００５０】
図４の上欄は、図３に示す除電ユニット３１における距離Ｌ１と距離Ｌ６との差の絶対値ΔＬ、または、図８に示す除電装置３０における光路幅Ｄ１と光路幅Ｄ２との差の絶対値ΔＬである。また、図４の中欄及び下欄は、それぞれ、図３に示す除電ユニット３１における電位Ｖ１と電位Ｖ６との差の絶対値、及び、図８に示す除電装置３０における電位Ｖ０１と電位Ｖ０２との差の絶対値である。
【００５１】
図４に示すように、図８に示す除電装置３０における光路幅Ｄ１、Ｄ２の変化に対する電位ＶＴ０の変化の感度は、図３に示す除電ユニット３１における距離Ｌ１〜Ｌ６の変化に対する電位ＶＴ１の変化の感度の約４倍であり、光路幅Ｄ１、Ｄ２を調整する作業に比して距離Ｌ１〜Ｌ６を調整する作業が容易であることがわかる。
【００５２】
図５は、図３に示す除電ユニット３１と、図８に示す除電装置３０との調整結果の一例を示すグラフである。横軸は、感光ドラム４の一方の端面からの距離ＬＥ０、ＬＥ１（図３、図８参照）であり、縦軸は、感光ドラム４の表面の電位ＶＴ０、ＶＴ１である。グラフＧ１１は、調整前の電位ＶＴ０、ＶＴ１であり、グラフＧ１２は図８に示す除電装置３０の調整後の電位ＶＴ０であり、グラフＧ１３は図３に示す除電ユニット３１の調整後の電位ＶＴ１である。
【００５３】
グラフＧ１１に示すように、調整前の電位ＶＴ０、ＶＴ１は、右下がりの曲線であって、感光ドラム４両端では約４０Ｖの電位差が生じている。グラフＧ１２に示すように、図８に示す除電装置３０の調整後の電位ＶＴ０は、右上がりの曲線であって、感光ドラム４両端では約１５Ｖの電位差が残存している。これに対して、グラフＧ１２に示すように、図３に示す除電ユニット３１の調整後の電位ＶＴ１は、略水平の曲線であって、感光ドラム４両端での電位差が殆どない状態となっている。このように、除電ユニット３１を調整することによって、感光ドラム４の表面の電位差を小さくすることが可能となる。
【００５４】
上述のように、除電ユニット３１の除電ＬＥＤ３１１と感光ドラム４の表面との距離Ｌ１〜Ｌ６を大きくすることによって、除電ユニット３１による除電の効果が小さくなり、感光ドラム４の表面が帯電し易くなる。逆に、除電ユニット３１の除電ＬＥＤ３１１と感光ドラム４の表面との距離Ｌ１〜Ｌ６を小さくすることによって、除電ユニット３１による除電の効果が大きくなり、感光ドラム４の表面が帯電し難くなる。従って、除電ユニット３１の除電ＬＥＤ３１１と感光ドラム４の表面との距離Ｌ１〜Ｌ６を調整することによって、感光ドラム４の軸方向の帯電ムラが抑制され得る。
【００５５】
また、位置設定部３１３によって、支持部３１２が感光ドラム４の軸に直交する方向に位置を変更され得るため、支持部３１２に支持された複数の（ここでは、６個の）除電ＬＥＤ３１１と感光ドラム４の表面との距離Ｌ１〜Ｌ６が容易に変更される。
【００５６】
更に、バネ３１３ｂによって支持部３１２が感光ドラム４の軸に接近する方向に付勢された状態で位置決めが行われるため、支持部３１２（及び支持部３１２に配設された除電ＬＥＤ３１１）の位置決めが精度よく行われる。
【００５７】
加えて、ボルト３１３ａ２によって、感光ドラム４に固定された梁３１３ａ１と支持部３１２の所定位置とが係合され、梁３１３ａ１と支持部３１２との間に圧入されたバネ３１３ｂによって、支持部３１２が感光ドラムの軸から近接する方向に付勢されるため、位置決め部材３１３ａ及び付勢部材３１３ｂが、簡単な構成で実現される。
【００５８】
なお、本発明は以下の態様をとることができる。
【００５９】
（Ａ）本実施形態においては、画像形成装置が複写機１である場合について説明したが、他の種類の画像形成装置（例えば、ファクシミリ、プリンタ等）である形態でもよい。
【００６０】
（Ｂ）本実施形態においては、除電ユニット３１の光源が点光源としての除電ＬＥＤ３１１である場合について説明したが、その他の光源である形態でもよい。例えば、ＬＥＤとスリット、レンズ等からなる線光源である形態でもよい。
【００６１】
（Ｃ）本実施形態においては、支持部３１２が一体として形成されている場合について説明したが、少なくとも１の（例えば、２個の）除電ＬＥＤが配設された複数の（例えば３個の）分割支持部からなる形態でもよい。図６は、除電ユニットの概略構成の他の一例を示す模式図（図２に示すＢ−Ｂ断面図）である。
【００６２】
図６に示すように、除電ユニット３２は、除電光を発する除電ＬＥＤ３２１（点光源に相当する）と、少なくとも１個の（ここでは２個の）除電ＬＥＤ３２１が感光ドラム４の軸方向に略線状に配設されて支持する複数個の（ここでは、３個の）分割支持部３２２と、各分割支持部３２２をそれぞれ感光ドラム４の軸に直交する方向に位置を変更可能に保持する位置設定部３２３とを備えている。
【００６３】
また、位置設定部３２３は、分割支持部３２２を感光ドラム４の軸に直交する方向の位置決めをする位置決め部材３２３ａと、分割支持部３２２を感光ドラム４の軸に接近する方向に付勢する付勢部材３２３ｂとを備えている。更に、位置決め部材３２３ａは、感光ドラム４に固定された梁３２３ａ１と、この梁３２３ａ１に一端が固定され、分割支持部３２２の所定位置（ここでは両端位置）に螺着されたボルト３２３ａ２とを備え、付勢部材３２３ｂは、梁３２３ａ１と分割支持部３２２との間に圧入された所定個数（ここでは、２個）のバネ３２３ｂを備えている。
【００６４】
梁３２３ａ１は、感光ドラム４の軸と略平行に、感光ドラム４の軸から所定距離だけ離間して配設され、感光ドラム４に対して固定されたものである。ここでは、感光ドラム４の回転軸の両端が筐体の所定位置に固定されており、梁３２３ａ１もその両端が当該筐体の所定位置に固定されている。
【００６５】
ボルト３２３ａ２が右（又は左）に回転されると、分割支持部３２２は、梁３２３ａ１と分割支持部３２２との間に圧入された２個のバネ３２３ｂによって感光ドラム４の軸に接近する方向に付勢された状態で、感光ドラム４の軸に離間する方向（又は近接する方向）に移動されて位置決めされる。
【００６６】
このようにして、各分割支持部３２２にそれぞれ支持された除電ＬＥＤ３２１と感光ドラム４の表面との距離が別々に調整され得るため、除電ＬＥＤ３２１と感光ドラム４の表面との距離が更に細かに調整され得る。図７は、図３に示す除電ユニット３１と、図７に示す除電ユニット３２との調整結果の一例を示すグラフである。横軸は、感光ドラム４の一方の端面からの距離ＬＥ１、ＬＥ２（図３、図７参照）であり、縦軸は、感光ドラム４の表面の電位ＶＴ１、ＶＴ２である。グラフＧ２１は、図３に示す除電ユニット３１の調整後の電位ＶＴ１であり、グラフＧ２２は図７に示す除電ユニット３２の調整後の電位ＶＴ２である。
【００６７】
グラフＧ２１に示すように、図３に示す除電ユニット３１の調整後の電位ＶＴ１は、略中央部が下に凸の曲線であって、感光ドラム４の略中央部と両端とでは約２０Ｖの電位差が残存している。これに対して、グラフＧ２２に示すように、図７に示す除電ユニット３２の調整後の電位ＶＴ２は、略水平の曲線であって、感光ドラム４の中央部と両端との電位差が殆どない状態となっている。このように、除電ユニット３２を調整することによって、感光ドラム４の表面の電位差を更に小さくすることが可能となる。
【００６８】
（Ｄ）本実施形態においては、ボルト３１３ａ２が手動にて駆動される場合について説明したが、図４に示す電位ＶＴ１の分布を測定する測定手段と、その測定結果に応じて調整量を算出して調整する調整手段とを備える形態でもよい。この場合には、調整作業が不要化され得る。
【００６９】
（Ｅ）本実施形態においては、付勢部材３１３ｂがバネ３１３ｂからなる場合について説明したが、その他の弾性を有する部材（例えば、梁３１３ａ１と支持部３１２とに両端が係合されたゴム等）からなる形態でもよい。
【００７０】
（Ｆ）本実施形態においては、位置決め部材３１３ａが梁３１３ａ１ボルト３１３ａ２とを備える場合について説明したが、その他の構成を有する形態でもよい。例えば、位置決め部材３１３ａがストロークの設定が可能な油圧（又は空圧）シリンダを有する形態でもよい。この場合には、位置設定が正確に且つ容易に行われる。
【図面の簡単な説明】
【００７１】
【図１】本発明に係る画像形成装置の概略構成の一例を示す模式図である。
【図２】画像形成部の概略構成の一例を示す模式図である。
【図３】除電ユニットの概略構成の一例を示す模式図（図２に示すＢ−Ｂ断面図）である。
【図４】図３に示す除電ユニットと、図８に示す除電装置との特性比較を行った結果の一例を示す図表である。
【図５】図３に示す除電ユニットと、図８に示す除電装置との調整結果の一例を示すグラフである。
【図６】除電ユニットの概略構成の他の一例を示す模式図（図２に示すＢ−Ｂ断面図）である。
【図７】図３に示す除電ユニットと、図７に示す除電ユニットとの調整結果の一例を示すグラフである。
【図８】従来の除電装置の一例を示す模式図である。
【符号の説明】
【００７２】
１  複写機
３  帯電ユニット
４  感光ドラム
６  露光ユニット
７  現像ユニット
１１  転写ローラ
１２  定着ユニット
１６  クリーニングブレード
３１  除電ユニット
３１１  除電ＬＥＤ（点光源）
３１２  支持部
３１３  位置設定部
３１３ａ  位置決め部材
３１３ａ１  梁
３１３ａ２  ボルト
３１３ｂ  付勢部材（バネ）
【図１】
2006154241.tif 000003
【図２】
2006154241.tif 000004
【図３】
2006154241.tif 000005
【図４】
2006154241.tif 000006
【図５】
2006154241.tif 000007
【図６】
2006154241.tif 000008
【図７】
2006154241.tif 000009
【図８】
2006154241.tif 000010